(57)【特許請求の範囲】
【請求項１】
中空の収納空間を具備したケースと、
前記収納空間内に配置されて一方向に回転する回転体とを備え、
前記回転体は、回転方向に並ぶ複数の羽根を備えており、
前記収納空間は、前記回転体の回転軸方向に直交する断面において、前記回転体の回転中心を通る１つの直線で区切られた第１領域および第２領域に分割され、
前記第１領域は、前記ケースに形成された第１開口および第２開口のそれぞれを通して前記ケース外に連通し、
前記ケースにおいて前記収納空間を囲む面は、前記第１開口と前記第２開口との間で前記第１領域内に位置する１つ以上の羽根の先端が常に接触する第１内面と、前記第１開口と前記第２開口との間で前記第２領域内に位置する１つ以上の羽根の先端が常に接触する第２内面とを備え、
前記第１開口及び前記第２開口のそれぞれが空気の流入及び排出の両方の機能を有する
ことを特徴とする換気装置。
【請求項２】
前記第１内面は、前記回転中心との間の距離が一定となるように弧状に形成され、
前記第２内面の少なくとも一部は、前記回転中心との間の距離が前記第１内面と前記回転中心との間の距離より短くなるように形成され、
前記複数の羽根のそれぞれは、先端が前記第２内面に沿って移動することで、前記先端から前記回転中心までの距離を変化させる可変機構を備える
ことを特徴とする請求項１記載の換気装置。
【請求項３】
前記可変機構は、前記複数の羽根のそれぞれを回転径方向に分割した複数の羽根片と、隣り合う２つの羽根片の間に設けられて前記２つの羽根片の間を屈曲させる屈曲部とを備えることを特徴とする請求項２記載の換気装置。
【請求項４】
前記複数の羽根のそれぞれの先端は、前記一方向とは逆方向に曲げられたかえし部を形成されることを特徴とする請求項１乃至３いずれか記載の換気装置。
【請求項５】
前記回転体を前記一方向に回転させる駆動部を備えることを特徴とする請求項１乃至３いずれか記載の換気装置。
【請求項６】
前記第１開口が屋外に通じ、前記第２開口が屋内に通じた請求項１乃至５いずれか記載の換気装置と、前記屋内の空気を前記屋外へ排出する排気装置とを備えることを特徴とする換気システム。
【発明の詳細な説明】
【技術分野】
【０００１】
本発明は、一般に換気装置、および換気システムに関する。本発明は、より詳細に屋外と屋内との間で換気を行う換気装置、および換気システムに関する。
【背景技術】
【０００２】
従来、複数の羽根を有する羽根車を用いた換気装置がある（例えば、特許文献１参照）。この特許文献１の換気装置は、羽根車が回転することで、屋内の空気を屋外へ排出する。
【０００３】
この特許文献１の換気装置では、羽根車を上方から見たとき、隣り合う羽根の間に隙間が生じないように複数の羽根が配置されている。すなわち、複数の羽根のそれぞれの外周縁は、平面視で略円形に連続している。したがって、羽根車を上方から見たとき、換気装置の開口部は複数の羽根で覆われている。
【先行技術文献】
【特許文献】
【０００４】
【特許文献１】特開２０１３−３６６２０号公報
【発明の概要】
【発明が解決しようとする課題】
【０００５】
しかしながら、特許文献１の換気装置では、隣り合う羽根の間に上下方向の隙間が常に生じており、羽根の表面を伝ってこの隙間から雨水が屋内側に浸入する可能性があった。
【０００６】
本発明は、上記事由に鑑みてなされたものであり、その目的は、屋内側への雨水の浸入経路を遮断できる換気装置、および換気システムを提供することにある。
【課題を解決するための手段】
【０００７】
本発明の換気装置は、中空の収納空間を具備したケースと、前記収納空間内に配置されて一方向に回転する回転体とを備え、前記回転体は、回転方向に並ぶ複数の羽根を備えており、前記収納空間は、前記回転体の回転軸方向に直交する断面において、前記回転体の回転中心を通る１つの直線で区切られた第１領域および第２領域に分割され、前記第１領域は、前記ケースに形成された第１開口および第２開口のそれぞれを通して前記ケース外に連通し、前記ケースにおいて前記収納空間を囲む面は、前記第１開口と前記第２開口との間で前記第１領域内に位置する１つ以上の羽根の先端が常に接触する第１内面と、前記第１開口と前記第２開口との間で前記第２領域内に位置する１つ以上の羽根の先端が常に接触する第２内面とを備え、前記第１開口及び前記第２開口のそれぞれが空気の流入及び排出の両方の機能を有することを特徴とする。
【０００８】
本発明の換気システムは、前記第１開口が屋外に通じ、前記第２開口が屋内に通じた上述の換気装置と、前記屋内の空気を前記屋外へ排出する排気装置とを備えることを特徴とする。
【発明の効果】
【０００９】
以上説明したように、本発明の換気装置、および換気システムでは、屋内側への雨水の浸入経路を遮断できるという効果がある。
【図面の簡単な説明】
【００１０】
【図１】実施形態１の換気装置の要部を示す構成図である。
【図２】実施形態１の換気装置の全体構成を示す外観図であり、図２Ａは上面図、図２Ｂは正面図、図２Ｃは背面図をそれぞれ示す。
【図３】実施形態１の換気装置の取り付けを示す概略図である。
【図４】実施形態１の換気装置の配置を示す側方から見た断面図である。
【図５】図５Ａは、実施形態１のケースを示す平面図であり、図５Ｂは、実施形態１の回転体を示す平面図である。
【図６】図６Ａは、実施形態１の回転体が収納されたケースの正面図であり、図６Ｂは、実施形態１の回転体が収納されたケースの背面図である。
【図７】実施形態１の換気システムの構成を示す概略図である。
【図８】実施形態２の換気装置の全体構成を示す外観図であり、図８Ａは上面図、図８Ｂは正面図、図８Ｃは背面図をそれぞれ示す。
【図９】実施形態２の換気装置の要部を示す構成図である。
【図１０】実施形態３の換気装置の全体構成を示す正面図である。
【図１１】図１１Ａは、実施形態３の換気装置の要部を正面から見た断面図であり、図１１Ｂは、実施形態３の換気装置の要部を上方から見た断面図である。
【発明を実施するための形態】
【００１１】
以下、本発明の実施の形態を図面に基づいて説明する。
【００１２】
（実施形態１）
図１は、本実施形態における換気装置１の要部の構成（水平断面）を示し、図２Ａ、図２Ｂ、図２Ｃは、換気装置１の全体構成を示す。なお、図２Ａは上面図であり、図２Ｂは正面図であり、図２Ｃは背面図である。
【００１３】
換気装置１は、図３、図４に示すように建物８の換気口２に設置されて、屋外（建物８外）と屋内（建物８内）との間で空気を入れ替える換気を行う。なお、建物８は、戸建住宅、集合住宅の住戸、事務所、店舗等のいずれでもよく、建物８の種類は限定されない。
【００１４】
換気装置１は、図２Ａ、図２Ｂ、図２Ｃに示すように、ケースユニット１０を備える。
【００１５】
ケースユニット１０は、換気口２に嵌め込まれる枠体１１と、枠体１１に支持される複数のケース１２とを備える。
【００１６】
枠体１１は、上枠１１ａ、下枠１１ｂ、側枠１１ｃ、１１ｄを具備した矩形枠状に形成される。ケース１２は、中空の筒状に形成されており、ケース１２の上端は、上枠１１ａに保持され、ケース１２の下端は、下枠１１ｂに保持されている。そして、側枠１１ｃと側枠１１ｄとの間で、複数のケース１２が水平方向（上下方向に直交する方向）に並んで配置されている。このとき、複数のケース１２のそれぞれの外面は、隣り合う両側のケース１２の各外面と接するように、隣り合う各ケース１２に挟まれて配置される。また、水平方向の一端に位置するケース１２は、隣接するケース１２と側枠１１ｃとに挟まれて配置され、水平方向の他端に位置するケース１２は、隣接するケース１２と側枠１１ｄとに挟まれて配置される。すなわち、複数のケース１２が、枠体１１の開口を塞ぐように隣接して配置されている。なお、上枠１１ａおよび下枠１１ｂに対するケース１２の結合は、突部および孔による嵌め込み、あるいはねじ等を用いた締結、枠体１１およびケース１２の一体形成等によって実現可能である。
【００１７】
ケース１２は、図５Ａに示すように中空の円筒状に形成されたケース本体１２０を備えており、ケース本体１２０の内部には、水平断面が円形状の収納空間１２１が形成されている（図１参照）。
【００１８】
収納空間１２１には、図５Ｂに示す回転体２０が収納されている。図６Ａは、回転体２０が収納されたケース１２の正面図であり、図６Ｂは、回転体２０が収納されたケース１２の背面図である。回転体２０は、棒状の回転軸２０ａが、水平断面が円形状の収納空間１２１の中心に位置するように上下方向に配置されている。そして、回転軸２０ａの上端側は、ケース本体１２０の上端に設けた軸受によって軸支され、回転軸２０ａの下端側は、ケース本体１２０の下端に設けた軸受によって軸支されており、回転軸２０ａは軸周りに回転可能となる。回転軸２０ａを軸支する軸受は、ベアリング等を用いて回転抵抗を低減させることが好ましい。
【００１９】
回転軸２０ａには、複数の羽根２０ｂが一体に取り付けられており、図１に示すように複数の羽根２０ｂのそれぞれが回転軸２０ａの周方向に等間隔で配置されている。回転軸２０ａには、羽根２０ｂの基部が連結している。なお、図１の回転体２０は、６枚の羽根２０ｂを備えている。また、図１は、図６ＡのＡ−Ａ断面に相当する。
【００２０】
そして、図１に示すように、ケース１２の収納空間１２１は、第１領域１２１ａと第２領域１２１ｂとに分割される。具体的に、収納空間１２１の水平断面（回転体２０の回転軸方向に直交する断面）において、回転体２０の回転中心（回転軸２０ａの中心）を通る直線９を境界として、円形状の収納空間１２１は、第１領域１２１ａと第２領域１２１ｂとに分割される。第１領域１２１ａおよび第２領域１２１ｂは、収納空間１２１の水平断面においてそれぞれ半円形状となる。直線９は、一端側が屋外に向かって延びており、他端側が屋内に向かって延びている。
【００２１】
ケース本体１２０には、第１開口１２２，第２開口１２３が形成されている。第１開口１２２は、ケース本体１２０の屋外側において、第１領域１２１ａと第２領域１２１ｂとの境界から第１領域１２１ａ側に亘って形成されており、屋外の空間は第１開口１２２を通って第１領域１２１ａに通じている。また、第２開口１２３は、ケース本体１２０の屋内側において、第１領域１２１ａと第２領域１２１ｂとの境界から第１領域１２１ａ側に亘って形成されており、第１領域１２１ａは第２開口１２３を通って屋内の空間に通じている。すなわち、第１開口１２２，第２開口１２３は、第１領域１２１ａに連通するように形成されている。
【００２２】
ケース本体１２０は、第１開口１２２と第２開口１２３との間に、第１領域１２１ａに対向する弧状（劣弧）の第１壁体１２０ａ、第２領域１２１ｂに対向する半円弧状の第２壁体１２０ｂを備える。第１壁体１２０ａの内側面（第１内面１２４）と第２壁体１２０ｂの内側面（第２内面１２５）とは、同一円の円周の一部を形成しており、この円周の半径は、羽根２０ｂの先端２０ｄの回転半径と同一寸法（あるいは、ほぼ同一寸法）になっている。そして、回転する羽根２０ｂの先端２０ｄは、第１壁体１２０ａを通過するときに、第１内面１２４に接触しながら回転する。また、回転する羽根２０ｂの先端２０ｄは、第２壁体１２０ｂを通過するときに、第２内面１２５に接触しながら回転する。
【００２３】
羽根２０ｂの先端２０ｄに例えばフッ素樹脂の被膜が形成されることで、先端２０ｄと第１内面１２４，第２内面１２５との摩擦係数が小さくなる。したがって、回転体２０は、屋外の自然風を用いて、羽根２０ｂの先端２０ｄを第１内面１２４および第２内面１２５に接触させながら滑らかに回転することができる。また、先端２０ｄにローラ等を設けて、第１内面１２４，第２内面１２５との摩擦係数を小さくすることも可能である。なお、先端２０ｄと第１内面１２４，第２内面１２５との摩擦係数を小さくする方法としては、上記以外であってもよく、屋外の自然風を利用して回転体２０が回転できればよい。
【００２４】
また、第１内面１２４および第２内面１２５のそれぞれに、例えばフッ素樹脂の被膜が形成されることでも、先端２０ｄと第１内面１２４，第２内面１２５との摩擦係数を小さくできる。
【００２５】
さらに、回転軸２０ａがＸ方向（図１における左回り）にのみ回転するように、回転軸２０ａの軸受にラチェット機構（逆転防止機構）が設けられていることが好ましい。
【００２６】
そして、屋外において自然風が発生し、第１開口１２２から第１領域１２１ａに向かって空気が流れ込むと、この風の力によって羽根２０ｂがＸ方向に回転する。隣り合う２つの羽根２０ｂに挟まれた扇形の空間には、第１開口１２２を通過する際に第１開口１２２を通して屋外の空気が流入し、回転体２０が回転することで、屋外の空気が第２開口１２３まで運ばれ、第２開口１２３を通して屋外の空気が屋内へ流入する。さらに、隣り合う２つの羽根２０ｂに挟まれた扇形の空間には、第２開口１２３を通過する際に第２開口１２３を通して屋内の空気が流入し、回転体２０が回転することで、屋内の空気が第１開口１２２まで運ばれ、第１開口１２２を通して屋内の空気が屋外へ排出される。
【００２７】
本実施形態では、羽根２０ｂが第１開口１２２を通過した後、羽根２０ｂの先端２０ｄが第１内面１２４に接触しながら回転し、第２開口１２３にまで達する。また、羽根２０ｂが第２開口１２３を通過した後、羽根２０ｂの先端２０ｄが第２内面１２５に接触しながら回転し、第１開口１２２にまで達する。
【００２８】
また、羽根２０ｂの配置間隔（配置角度）は、第１壁体１２０ａの弧長より短く（第１壁体１２０ａの中心角より小さく）設定されており、１つ以上の羽根２０ｂの先端２０ｄが、第１内面１２４に常に接触している。また、第２壁体１２０ｂの弧長は第１壁体１２０ａの弧長より長いので、１つ以上の羽根２０ｂの先端２０ｄが、第２内面１２５にも常に接触している。
【００２９】
したがって、屋外で降る雨は、第１内面１２４に接触している羽根２０ｂによって屋内側への浸入経路を塞がれる。また、屋外で降る雨は、第２内面１２５に接触している羽根２０ｂによっても屋内側への浸入経路を塞がれる。すなわち、換気装置１は、第１内面１２４に接触している羽根２０ｂ、および第２内面１２５に接触している羽根２０ｂによって、屋内側への雨水の浸入経路を遮断し、屋内側への雨水の浸入を遮断できる。
【００３０】
上述の換気装置１は、中空の収納空間１２１を具備したケース１２と、収納空間１２１内に配置されてＸ方向（一方向）に回転する回転体２０とを備える。回転体２０は、回転方向に並ぶ複数の羽根２０ｂを備える。収納空間１２１は、回転体２０の回転軸方向に直交する断面（水平断面）において、回転体２０の回転中心を通る１つの直線９で区切られた第１領域１２１ａおよび第２領域１２１ｂに分割される。第１領域１２１ａは、ケース１２に形成された第１開口１２２および第２開口１２３のそれぞれを通してケース１２外に連通している。ケース１２において収納空間１２１を囲む面は、第１内面１２４と、第２内面１２５とを備える。第１内面１２４には、第１開口１２２と第２開口１２３との間で第１領域１２１ａ内に位置する１つ以上の羽根２０ｂの先端２０ｄが常に接触する。第２内面１２５には、第１開口１２２と第２開口１２３との間で第２領域１２１ｂ内に位置する１つ以上の羽根２０ｂの先端２０ｄが常に接触する。
【００３１】
したがって、換気装置１は、第１内面１２４に接触している羽根２０ｂ、および第２内面１２５に接触している羽根２０ｂによって、屋内側への雨水の浸入経路を遮断できる。
【００３２】
また、羽根２０ｂの先端２０ｄには、かえし部２０ｅが形成されている。かえし部２０ｅは、回転方向であるＸ方向とは逆方向（（図１における右回り）に羽根２０ｂの端部が曲げられた湾曲形状（Ｕ字形状）に形成されている。降雨時に羽根２０ｂに付着した水滴は、羽根２０ｂの回転時に生じる遠心力によって羽根２０ｂの先端側に移動する。かえし部２０ｅに達した水滴は、かえし部２０ｅの底部に受け止められるので、羽根２０ｂの外側に水滴が飛び散ることを抑制でき、屋内側への雨水の浸入をさらに抑制できる。
【００３３】
すなわち、複数の羽根２０ｂのそれぞれの先端２０ｄは、Ｘ方向とは逆方向に曲げられたかえし部２０ｅを形成されることが好ましい。したがって、換気装置１は、屋内側への雨水の浸入をさらに抑制できる。
【００３４】
また、かえし部２０ｅに溜まった水滴は、羽根２０ｂの表面を伝って下方向に流れ落ち、下枠１１ｂに設けた排水溝を通って換気装置１外へ排水される。
【００３５】
また図７に示すように、屋内の空気を屋外へ排出する排気装置４を建物８に設けることも好ましい。この場合、換気装置１と排気装置４とが換気システムを構成する。なお、図７は、建物８を上方から見た断面図である。
【００３６】
排気装置４は、例えばファンを備える換気扇、レンジフード等であって、ファンを回転させることで屋内の空気を屋外へ排出する。したがって、排気装置４の運転によって屋内が負圧となり、第１開口１２２（屋外）から第２開口１２３（屋内）に向かって流れる空気量が増えることで、第１開口１２２に対向する羽根２０ｂに加わるＸ方向の力が増大し、回転体２０はＸ方向に回転しやすくなる。
【００３７】
また、排気装置４は、屋内において、換気装置１が取り付けられた壁面に対向する壁面に取り付けられることが好ましい。この場合、換気装置１と排気装置４との間に生じる空気の流れが屋内の広い範囲に発生するので、換気効率を向上させることができる。
【００３８】
上述のように、換気システムは、換気装置１と排気装置４とを備えることが好ましい。この場合、換気装置１は、第１開口１２２が屋外に通じ、第２開口１２３が屋内に通じている。排気装置４は、屋内の空気を屋外へ排出する。
【００３９】
したがって、上述の換気システムは、屋外の自然風が弱い場合でも、回転体２０をＸ方向に回転させる空気の流れを強制的に発生させることができ、換気を行うことが可能となる。
【００４０】
また、換気装置１は、上述のように回転体２０を個別に収納するケース１２以外に、複数の回転体２０を一括して収納するケースを用いてもよい。この場合、１つのケースは、複数の回転体２０を収納し、複数の回転体２０のそれぞれに対応する複数の第１開口１２２および複数の第２開口１２３が設けられる。
【００４１】
（実施形態２）
図８Ａ、図８Ｂ、図８Ｃは、本実施形態の換気装置１Ａの全体構成を示し、図９は、換気装置１Ａの要部の構成（水平断面）を示す。なお、図８Ａは上面図であり、図８Ｂは正面図であり、図８Ｃは背面図である。また、実施形態１と同様の構成には同一の符号を付して説明は省略する。
【００４２】
換気装置１Ａは、ケースユニット１０Ａと、回転体２０Ａとを備える。
【００４３】
ケースユニット１０Ａは、実施形態１のケース１２の代わりにケース１２Ａを備えており、複数のケース１２Ａが、枠体１１の開口を塞ぐように隣接して配置されている。
【００４４】
ケース１２Ａは、中空の筒状に形成されたケース本体１２０Ａを備えており、収納空間１２１Ａがケース本体１２０Ａの内部に形成されている（図９参照）。回転体２０Ａは、収納空間１２１Ａに収納されている。
【００４５】
図９に示すように、回転体２０Ａは、複数の羽根２０ｉが回転軸２０ｈに一体に取り付けられており、複数の羽根２０ｉのそれぞれが回転軸２０ｈの周方向に等間隔で配置されている。回転軸２０ｈには、羽根２０ｉの基部が連結している。なお、図９の回転体２０Ａは、６枚の羽根２０ｉを備えている。
【００４６】
羽根２０ｉは、２つの羽根片２０ｎ，２０ｐと、羽根片２０ｎ，２０ｐの間に設けられた屈曲部２０ｍとを可変機構として備える。羽根片２０ｎ，２０ｐは、羽根２０ｉの回転径方向に並んで配置されており、羽根片２０ｎは、回転軸２０ｈに一体に取り付けられ、羽根片２０ｐは、羽根２０ｉの先端２０ｋを備える。羽根片２０ｎと羽根片２０ｐとは、屈曲部２０ｍを介して接続されている。屈曲部２０ｍは、１つの回転軸によって羽根片２０ｎ，２０ｐの両方を軸支している。そして、回転軸２０ｈに連結している羽根片２０ｎに対して羽根片２０ｐが回動することによって、羽根２０ｉが屈曲する。
【００４７】
すなわち、羽根２０ｉ（の羽根本体）が回転径方向に分割されて、２つの羽根片２０ｎ，２０ｐが形成される。屈曲部２０ｍは、隣り合う２つの羽根片２０ｎ，２０ｐの間に設けられて２つの羽根片２０ｎ，２０ｐの間を屈曲させる。なお、羽根２０ｉを３つ以上の羽根片に分割して、隣り合う２つの羽根片の各間に屈曲部を設けてもよい。
【００４８】
さらに、屈曲部２０ｍは、羽根片２０ｐに対してＹ１方向（図９における左回り）の復元力（弾性力）を付勢するばね等の弾性体を備えている。通常、羽根片２０ｐにはＹ１方向の復元力が働いて、羽根２０ｉは屈曲していない状態となる。屈曲部２０ｍは、羽根片２０ｐのＹ１方向への回動を規制するストッパ等を備えており、Ｙ１方向へ回動する羽根片２０ｐは、羽根片２０ｎと同一平面を形成する位置まで回動可能となる。そして、上述の復元力に抗って羽根片２０ｐがＹ２方向（Ｙ１方向の逆方向）に回動することによって、羽根２０ｉが屈曲する。
【００４９】
そして、図９に示すように、ケース１２Ａの収納空間１２１Ａは、第１領域１２１ｃと第２領域１２１ｄとに分割される。具体的に、収納空間１２１Ａの水平断面（回転体２０Ａの回転軸方向に直交する断面）において、回転体２０Ａの回転中心（回転軸２０ｈの中心）を通る直線９Ａを境界として、収納空間１２１Ａは、第１領域１２１ｃと第２領域１２１ｄとに分割される。収納空間１２１Ａの水平断面において、第１領域１２１ｃは半円形状であり、第２領域１２１ｄは半円を押し潰したような扁平形状である。直線９Ａは、一端側が屋外に向かって延びており、他端側が屋内に向かって延びている。
【００５０】
ケース本体１２０Ａには、第１開口１２２Ａ，第２開口１２３Ａが形成されている。第１開口１２２Ａは、ケース本体１２０Ａの屋外側において、第１領域１２１ｃと第２領域１２１ｄとの境界から第１領域１２１ｃ側に亘って形成されており、屋外の空間は第１開口１２２Ａを通って第１領域１２１ｃに通じている。また、第２開口１２３Ａは、ケース本体１２０Ａの屋内側において、第１領域１２１ｃと第２領域１２１ｄとの境界から第１領域１２１ｃ側に亘って形成されており、第１領域１２１ｃは第２開口１２３Ａを通って屋内の空間に通じている。すなわち、第１開口１２２Ａ，第２開口１２３Ａは、第１領域１２１ｃに連通するように形成されている。
【００５１】
ケース本体１２０Ａは、第１開口１２２Ａと第２開口１２３Ａとの間に、第１領域１２１ｃに対向する第１壁体１２０ｃ、第２領域１２１ｄに対向する第２壁体１２０ｄを備える。
【００５２】
第１壁体１２０ｃの内側面（第１内面１２４Ａ）は、弧状（劣弧）に形成されている。回転体２０Ａの回転中心から第１内面１２４Ａまでの距離は、屈曲していない羽根２０ｂの回転半径（最大回転半径）と同一寸法（あるいは、ほぼ同一寸法）になっている。すなわち、第１領域１２１ｃを通過する羽根２０ｉは屈曲せず、羽根片２０ｎと羽根片２０ｐとが同一平面を構成している。そして、第１壁体１２０ｃを通過する羽根２０ｉの先端２０ｋは、第１内面１２４Ａに接触する。
【００５３】
第２壁体１２０ｄの内側面（第２内面１２５Ａ）は、回転体２０Ａの回転中心までの距離が一定でない曲面である。第２内面１２５Ａは、回転体２０Ａの回転中心までの距離が、第２開口１２３Ａ側の端部から徐々に短くなり、中央付近で最も短くなる。そして、第２内面１２５Ａは、第１開口１２２Ａ側の端部に近付くにつれて、回転体２０Ａの回転中心までの距離が徐々に長くなる。すなわち、第２領域１２１ｄを通過する羽根２０ｉの先端２０ｋが第２内面１２５Ａに接触することで、羽根片２０ｐが羽根片２０ｎに対してＹ２方向へ回動し、羽根２０ｉが屈曲する。羽根２０ｉは、第２領域１２１ｄを通過している間、先端２０ｋが第２内面１２５Ａに沿った状態を維持して屈曲している。そして、羽根２０ｉは、第２領域１２１ｄから第１領域１２１ｃへ移ると、屈曲部２０ｍによって羽根片２０ｐに加えられているＹ１方向の復元力によって、羽根片２０ｐが羽根片２０ｎに対してＹ１方向へ回動し、羽根２０ｉは屈曲していない状態に戻る。
【００５４】
本実施形態では、羽根２０ｉが第１開口１２２Ａを通過した後、羽根２０ｉの先端２０ｋが第１内面１２４Ａに接触しながら回転し、第２開口１２３Ａにまで達する。また、羽根２０ｉが第２開口１２３Ａを通過した後、羽根２０ｉの先端２０ｋが第２内面１２５Ａに接触しながら回転し、第１開口１２２Ａにまで達する。
【００５５】
また、羽根２０ｉの配置間隔（配置角度）は、第１壁体１２０ｃの弧長より短く（第１壁体１２０ｃの中心角より小さく）設定されており、１つ以上の羽根２０ｉの先端２０ｋが、第１内面１２４Ａに常に接触している。また、第２壁体１２０ｄの弧長は第１壁体１２０ｃの弧長より長いので、１つ以上の羽根２０ｉの先端２０ｋが、第２内面１２５Ａにも常に接触している。
【００５６】
したがって、屋外で降る雨は、第１内面１２４Ａに接触している羽根２０ｉによって屋内側への浸入経路を塞がれる。また、屋外で降る雨は、第２内面１２５Ａに接触している羽根２０ｉによっても屋内側への浸入経路を塞がれる。すなわち、換気装置１Ａは、第１内面１２４Ａに接触している羽根２０ｉ、および第２内面１２５Ａに接触している羽根２０ｉによって、屋内側への雨水の浸入経路を遮断し、屋内側への雨水の浸入経路を遮断できる。
【００５７】
また、換気装置１Ａは、ケース１２Ａ内の第２領域１２１ｄの体積を第１領域１２１ｃの体積より小さくしており、屋内から屋外へ排気される空気量は、屋外から屋内に吸気される空気量より少なくなる。すなわち、空調装置、空気清浄器等で空気質を調整された屋内の空気が、必要以上に屋外に排気されることを抑制している。空気質を調整された空気とは、温度、湿度が調整され、さらにＰＭ２．５等の微小粒子状物質、花粉、ハウスダストなどの汚染要因を低減させた空気である。
【００５８】
上述の換気装置１Ａにおいて、第１内面１２４Ａは、回転体２０Ａの回転中心との間の距離が一定となるように弧状に形成されることが好ましい。また、第２内面１２５Ａの少なくとも一部は、回転中心との間の距離が第１内面１２４Ａと回転中心との間の距離より短くなるように形成されることが好ましい。この場合、複数の羽根２０ｉのそれぞれは、先端２０ｋが第２内面１２５Ａに沿って移動することで、先端２０ｋから回転中心までの距離を変化させる可変機構を備える。
【００５９】
したがって、換気装置１Ａは、空調装置、空気清浄器等で空気質を調整された屋内の空気が、必要以上に屋外に排気されることを抑制することができる。
【００６０】
また、上述の可変機構は、複数の羽根２０ｉのそれぞれを回転径方向に分割した複数の羽根片２０ｎ，２０ｐと、隣り合う２つの羽根片２０ｎ，２０ｐの間に設けられて２つの羽根片２０ｎ，２０ｐの間を屈曲させる屈曲部２０ｍとを備えることが好ましい。
【００６１】
したがって、羽根２０ｉの屈曲構造を実現でき、回転中心から羽根２０ｉの先端２０ｋまでの距離を容易に可変とすることができる。本実施形態の可変機構は、回転軸を有する屈曲部２０ｍを用いることで、羽根２０ｉの屈曲構造を実現している。しかしながら、可変機構は、当該構造に限定されない。例えば、ばね弾性を有する素材で羽根を形成し、この羽根の先端が第２内面１２５Ａに当接することで羽根自体が撓む構成であってもよい。さらには、羽根が回転径方向に伸縮自在な構成とし、羽根の先端が第２内面１２５Ａに当接することで、羽根が回転径方向に縮む構成であってもよい。
【００６２】
さらに羽根２０ｉの先端２０ｋに例えばフッ素樹脂の被膜が形成されることで、先端２０ｋと第１内面１２４Ａ，第２内面１２５Ａとの摩擦係数が小さくなる。したがって、回転体２０Ａは、屋外の自然風を効率よく用いて、羽根２０ｉの先端２０ｋを第１内面１２４Ａ，第２内面１２５Ａに接触させながら滑らかに回転することができる。また、先端２０ｋにローラ等を設けて、第１内面１２４Ａ，第２内面１２５Ａとの摩擦係数を小さくすることも可能である。なお、先端２０ｋと第１内面１２４Ａ，第２内面１２５Ａとの摩擦係数を小さくする方法としては、上記以外であってもよく、屋外の自然風を回転体２０Ａが効率よく利用できればよい。
【００６３】
さらに、回転軸２０ｈは、Ｘ方向（図９における左回り）にのみ回転するように、ラッチ機構を備えていることが好ましい。
【００６４】
また、羽根２０ｉの先端２０ｋには、かえし部２０ｒが形成されている。かえし部２０ｒは、回転方向であるＸ方向とは逆方向（（図９における右回り）に羽根２０ｉの端部が曲げられた湾曲形状（Ｕ字形状）に形成されている。降雨時に羽根２０ｉに付着した水滴は、羽根２０ｉの回転時に生じる遠心力によって羽根２０ｉの先端側に移動する。かえし部２０ｒに達した水滴は、かえし部２０ｒの底部に受け止められるので、羽根２０ｉの外側に水滴が飛び散ることを抑制でき、屋内側への雨水の浸入をさらに抑制できる。
【００６５】
すなわち、複数の羽根２０ｉのそれぞれの先端２０ｋは、Ｘ方向とは逆方向に曲げられたかえし部２０ｒを形成されることが好ましい。したがって、換気装置１Ａは、屋内側への雨水の浸入をさらに抑制できる。
【００６６】
（実施形態３）
図１０は、本実施形態の換気装置１Ｂの全体構成を示し、図１１Ａ、図１１Ｂは、換気装置１Ｂの要部の構成を示す。図１１Ａは、枠体１１の上枠１１ａを正面から見た断面図であり、図１１Ｂは、上枠１１ａを上方から見た断面図である。また、実施形態１と同様の構成には同一の符号を付して説明は省略する。
【００６７】
換気装置１Ｂは、換気装置１に駆動部３を付加して構成される。駆動部３は、枠体１１の上枠１１ａに収納されており、モータ３１と、減速機３２と、駆動ベルト３３とを備える。モータ３１は、商用電源または電池を電源として駆動され、減速機３２は、歯車等を用いてモータの回転速度を減速させた回転力を出力軸３２ａに発生させる。出力軸３２ａには駆動ベルト３３の内周面が当接しており、駆動ベルト３３には、モータ３１の回転力が減速機３２を介して伝達される。駆動ベルト３３の内周面は、上枠１１ａ内に突出した複数の回転軸２０ａのそれぞれの上端側の外周にもかかっている。すなわち、駆動ベルト３３は、出力軸３２ａと複数の回転軸２０ａとを連結することで、モータ３１の回転駆動力によって複数の回転軸２０ａのそれぞれを回転させる。回転体２０の羽根２０ｂは、モータ３１の回転駆動力によってＸ方向に回転する。
【００６８】
駆動ベルト３３には、内周面に歯を形成した歯付きベルトを用いて、回転軸２０ａの外周には、駆動ベルト３３の歯が噛み合う突起を周方向に並べて設けることで、駆動ベルト３３と回転軸２０ａとを互いに噛み合わせることができる。駆動ベルト３３の駆動力を回転軸２０ａに伝達する構造としては、この構造に限定されず、他の構造であってもよい。
【００６９】
上述のように、換気装置１Ｂは回転体２０をＸ方向に回転させる駆動部３を備えることが好ましい。この場合、換気装置１Ｂは、モータ３１の回転駆動力による強制換気を行うことができる。
【００７０】
また、駆動部３を用いた強制換気は、実施形態２の換気装置１Ａにも適用できる。
【００７１】
また、実施形態１の排気装置４を用いた換気システムの構成は、上述の実施形態２，３にも適用可能である。
【符号の説明】
【００７２】
１，１Ａ，１Ｂ  換気装置
１０，１０Ａ  ケースユニット
１１  枠体
１２，１２Ａ  ケース
１２０，１２０Ａ  ケース本体
１２０ａ，１２０ｃ  第１壁体
１２０ｂ，１２０ｄ  第２壁体
１２１，１２１Ａ  収納空間
１２１ａ，１２１ｃ  第１領域
１２１ｂ，１２１ｄ  第２領域
１２２，１２２Ａ  第１開口
１２３，１２３Ａ  第２開口
１２４，１２４Ａ  第１内面
１２５，１２５Ａ  第２内面
２０，２０Ａ  回転体
２０ａ，２０ｈ  回転軸
２０ｂ，２０ｉ  羽根
２０ｄ，２０ｋ  先端
２０ｅ，２０ｒ  かえし部
２０ｍ  屈曲部
３  駆動部
９，９Ａ  直線
【図１】
0006481932.tif 000002
【図２】
0006481932.tif 000003
【図３】
0006481932.tif 000004
【図４】
0006481932.tif 000005
【図５】
0006481932.tif 000006
【図６】
0006481932.tif 000007
【図７】
0006481932.tif 000008
【図８】
0006481932.tif 000009
【図９】
0006481932.tif 000010
【図１０】
0006481932.tif 000011
【図１１】
0006481932.tif 000012